(57)【要約】【課題】ファインダ視野内の被写体像とスーパーインポーズされる情報の両方の明るさを同時に改善することができない。【解決手段】ファインダ装置を、複数の反射面のうち一面がハーフミラー面であって、被写体の倒立像を各反射面で反射させることにより反転させて正立像としてファインダに導く正立光学系と、ファインダ視野内にスーパーインポーズされるスーパーインポーズ光をハーフミラー面に投光することにより、ハーフミラー面を透過したスーパーインポーズ光を、正立光学系によってファインダに導かれる正立像と重ね合わせることが可能な投光手段とを備える構成とし、ハーフミラー面を、可視光領域のうちスーパーインポーズ光の波長に対応する第一の波長領域以外の第二の波長領域で平坦な反射率特性を持ち、第一の波長領域の透過率が第二の波長領域の透過率よりも１０％〜５０％高くなるように設計する。【選択図】図２
2014119629.tif 000002
【特許請求の範囲】
【請求項１】
物体像を観察するためのファインダ装置であって、ファインダ視野内に該物体像とは別の像をスーパーインポーズ表示可能なファインダ装置において、
前記物体像が伝送される光路中に配置されたハーフミラー面と、
前記ファインダ視野内にスーパーインポーズされるスーパーインポーズ光を前記ハーフミラー面に投光することにより、該ハーフミラー面を透過したスーパーインポーズ光を、該ハーフミラー面を反射する前記物体像に重ね合わせることが可能な投光手段と、
を備え、
前記ハーフミラー面は、
可視光領域のうち前記スーパーインポーズ光に対応する波長を含む第一の波長領域以外の第二の波長領域で平坦な反射率特性を持ち、該スーパーインポーズ光に対応する波長の透過率が該第二の波長領域の透過率よりも１０％〜５０％高いこと
を特徴とする、ファインダ装置。
【請求項２】
前記第二の波長領域の平均反射率は７０％〜９５％であること
を特徴とする、請求項１に記載のファインダ装置。
【請求項３】
物体像を観察するためのファインダ装置であって、ファインダ視野内に該物体像とは別の像をスーパーインポーズ表示可能なファインダ装置において、
前記物体像が伝送される光路中に配置されたハーフミラー面と、
前記ファインダ視野内にスーパーインポーズされるスーパーインポーズ光を前記ハーフミラー面に投光することにより、該ハーフミラー面を反射したスーパーインポーズ光を、該ハーフミラー面を透過する前記物体像に重ね合わせることが可能な投光手段と、
を備え、
前記ハーフミラー面は、
可視光領域のうち前記スーパーインポーズ光に対応する波長を含む第一の波長領域以外の第二の波長領域で平坦な透過率特性を持ち、該スーパーインポーズ光に対応する波長の反射率が該第二の波長領域の反射率よりも１０％〜５０％高いこと
を特徴とする、ファインダ装置。
【請求項４】
前記第二の波長領域の平均透過率は７０％〜９５％であること
を特徴とする、請求項３に記載のファインダ装置。
【請求項５】
前記第一の波長領域の反射率特性は、
前記スーパーインポーズ光に対応する波長に谷部を持ち、
前記谷部より短波長側、長波長側に変曲点を一点ずつ持ち、
前記第一の波長領域は、
前記短波長側の変曲点に対応する波長を下限とし、前記長波長側の変曲点に対応する波長を上限とする波長領域であること
を特徴とする、請求項１又は請求項２に記載のファインダ装置。
【請求項６】
前記第一の波長領域は２０ｎｍ〜１５０ｎｍの幅を持つこと
を特徴とする、請求項１から請求項５の何れか一項に記載のファインダ装置。
【請求項７】
前記第一の波長領域の透過率の半値幅は１０ｎｍ〜１００ｎｍである
ことを特徴とする、請求項１から請求項６の何れか一項に記載のファインダ装置。
【請求項８】
前記ファインダ装置は、
対物光学系によって結像させた物体像を観察するためのものであり、該物体像が伝送される光路中に複数の反射面を持ち、該複数の反射面のうち一面が前記ハーフミラー面であって、該対物光学系より入射される物体像を該複数の反射面の各々で反射させることにより正立像としてファインダに導く正立光学系を備えること
を特徴とする、請求項１又は請求項２に記載のファインダ装置。
【請求項９】
前記正立光学系はペンタプリズムであり、
前記投光手段は、
前記ハーフミラー面を介して前記ペンタプリズム内に前記スーパーインポーズ光を入射させ、該入射されたスーパーインポーズ光を、該ペンタプリズム内にて前記ファインダに導かれる正立像と重ね合わせること
を特徴とする、請求項８に記載のファインダ装置。
【請求項１０】
前記ペンタプリズムは、
前記撮影光学系からの被写体光束が入射する入射面と、
前記入射面に入射された被写体光束を反射するダハ面と、
前記ダハ面にて反射された被写体光束を前記ファインダに向けて反射する第三反射面と、
を備え、
前記第三反射面が前記ハーフミラー面であること
を特徴とする、請求項９に記載のファインダ装置。
【請求項１１】
前記ハーフミラー面は、誘電体の多層膜を積層することにより構成されていること
を特徴とする、請求項１から請求項１０の何れか一項に記載のファインダ装置。
【請求項１２】
前記物体像とは別の像は、撮影に関する補助情報を表す像であること
を特徴とする、請求項１から請求項１１の何れか一項に記載のファインダ装置。
【請求項１３】
前記撮影に関する補助情報は、測距点、合焦及び合焦位置を示す情報であること
を特徴とする、請求項１２に記載のファインダ装置。
【請求項１４】
前記投光手段が持つ光源は、ＬＥＤ（Light Emitting Diode）であること
を特徴とする、請求項１から請求項１３の何れか一項に記載のファインダ装置。
【請求項１５】
請求項１から請求項１４の何れか一項に記載のファインダ装置を搭載したこと
を特徴とする、一眼レフカメラ。
【発明の詳細な説明】
【技術分野】
【０００１】
本発明は、撮影に関する補助情報をファインダ視野内にスーパーインポーズ表示可能なファインダ装置、及び該ファインダ装置を搭載した一眼レフカメラに関する。
【背景技術】
【０００２】
一眼レフカメラのファインダでは、焦点板に結像された被写体像が例えばペンタプリズムを介して観察される。ファインダを通して観察される被写体像には測距点や測距エリアなど、撮影を補助する情報がスーパーインポーズされる。この種の情報を被写体像にスーパーインポーズすることが可能なファインダ装置の具体的構成は、例えば特許文献１〜３に記載されている。
【０００３】
特許文献１には、ファインダ光学系内に配置された透過型液晶の各セルの配向を制御することにより、被写体像にスーパーインポーズされる情報を可変する構成が記載されている。また、特許文献２及び３には、ＬＥＤ（Light Emitting Diode）及びマスク部材により生成された測距情報等を表すＬＥＤ光を、集光レンズ及びプリズムを介してペンタプリズム内へ入射させることにより、測距情報等をファインダで観察されている被写体像にスーパーインポーズさせる構成が記載されている。
【先行技術文献】
【特許文献】
【０００４】
【特許文献１】特開平５−１２７２４４号公報
【特許文献２】特開２００２−８２２７８号公報
【特許文献３】特開２０００−８９３３６号公報
【発明の概要】
【発明が解決しようとする課題】
【０００５】
しかし、特許文献１に記載のファインダ装置は、透過型液晶を透過する際の光量損失が大きいため、ファインダ視野内の被写体像が暗くなるという問題を抱えている。また、液晶パターンの表示・非表示による明暗差でスーパーインポーズ表示を行う（液晶自体は発光しない）ため、スーパーインポーズされる情報の視認性が低いという問題も抱えている。
【０００６】
また、特許文献２に記載のファインダ装置は、ＬＥＤ光が入射されるペンタプリズムの第三反射面がハーフミラー化されているため、第三反射面を介してＬＥＤ光をペンタプリズム内に入射させてファインダに導くことができると共に、ペンタプリズム内を伝播する被写体光束を第三反射面にて反射させてファインダに導くことができるようになっている。但し、この構成では、第三反射面の反射率を高くするほどファインダ視野内の被写体像を明るくすることができる一方、第三反射面の透過率が低下するため、スーパーインポーズされる情報の明るさが低減する。また、スーパーインポーズされる情報の明るさを向上させるために第三反射面の透過率を高くすると、第三反射面の反射率が低下するため、ファインダ視野内の被写体像が暗くなる。すなわち、特許文献２に記載の構成では、ファインダ視野内の被写体像の明るさとスーパーインポーズされる情報の明るさとがトレードオフの関係にあるため、一方の明るさを独立して改善することや両方の明るさを同時に改善することができない。
【０００７】
そこで、特許文献３に記載のファインダ装置は、ファインダ視野内の被写体像の明るさが低下することを抑えるべく、第三反射面内において、ＬＥＤ光を透過させる必要のない周辺領域については、ＬＥＤ光を透過させるべき中央領域よりも反射率が高く設定（又は金属膜で完全にミラー面化）されている。しかし、この場合、ファインダ視野内の中央領域と周辺領域とで明暗差が発生するため、ファインダ視野内の被写体像の明るさを根本的には改善できていない。
【０００８】
本発明は上記の事情に鑑みてなされたものであり、その目的とするところは、ファインダ視野内の被写体像とスーパーインポーズされる情報の両方の明るさを改善することができるファインダ装置及び一眼レフカメラを提供することである。
【課題を解決するための手段】
【０００９】
本発明の一形態に係るファインダ装置は、物体像を観察するためのファインダ装置であって、ファインダ視野内に物体像とは別の像をスーパーインポーズ表示可能なものである。本ファインダ装置は、物体像が伝送される光路中に配置されたハーフミラー面と、ファインダ視野内にスーパーインポーズされるスーパーインポーズ光をハーフミラー面に投光することにより、ハーフミラー面を透過したスーパーインポーズ光を、ハーフミラー面を反射する物体像に重ね合わせることが可能な投光手段とを備える。ハーフミラー面は、可視光領域のうちスーパーインポーズ光に対応する波長を含む第一の波長領域以外の第二の波長領域で平坦な反射率特性を持ち、スーパーインポーズ光に対応する波長の透過率が第二の波長領域の透過率よりも１０％〜５０％高い。
【００１０】
本発明の一形態によれば、ハーフミラー面を、第二の波長領域で平坦な反射率特性を持ちつつスーパーインポーズ光に対応する第一の波長領域のみ局所的に透過率が他の領域に対して高くなる特性とすることにより、ファインダ視野内の被写体像の明るさとスーパーインポーズされる情報の明るさとを独立して改善することができ、その両方の明るさを同時に改善させることが可能となる。
【００１１】
第二の波長領域の平均反射率は例えば７０％〜９５％である。
【００１２】
本発明の別の形態に係るファインダ装置は、物体像を観察するためのファインダ装置であって、ファインダ視野内に物体像とは別の像をスーパーインポーズ表示可能なものである。本ファインダ装置は、物体像が伝送される光路中に配置されたハーフミラー面と、記ファインダ視野内にスーパーインポーズされるスーパーインポーズ光をハーフミラー面に投光することにより、ハーフミラー面を反射したスーパーインポーズ光を、ハーフミラー面を透過する物体像に重ね合わせることが可能な投光手段とを備える。ハーフミラー面は、可視光領域のうちスーパーインポーズ光に対応する波長を含む第一の波長領域以外の第二の波長領域で平坦な透過率特性を持ち、スーパーインポーズ光に対応する波長の反射率が第二の波長領域の反射率よりも１０％〜５０％高い。
【００１３】
本発明の別の形態によれば、ハーフミラー面を、第二の波長領域で平坦な透過率特性を持ちつつスーパーインポーズ光に対応する第一の波長領域のみ局所的に反射率が他の領域に対して高くなる特性とすることにより、ファインダ視野内の被写体像の明るさとスーパーインポーズされる情報の明るさとを独立して改善することができ、その両方の明るさを同時に改善させることが可能となる。
【００１４】
第二の波長領域の平均透過率は例えば７０％〜９５％である。
【００１５】
第一の波長領域の反射率特性は、例えば、スーパーインポーズ光に対応する波長に谷部を持ち、谷部より短波長側、長波長側に変曲点を一点ずつ持つ。この場合、第一の波長領域は、短波長側の変曲点に対応する波長を下限とし、長波長側の変曲点に対応する波長を上限とする波長領域である。
【００１６】
第一の波長領域は例えば２０ｎｍ〜１５０ｎｍの幅を持つ。
【００１７】
第一の波長領域の透過率の半値幅は例えば１０ｎｍ〜１００ｎｍである。
【００１８】
また、ファインダ装置は、対物光学系によって結像させた物体像を観察するためのものであり、物体像が伝送される光路中に複数の反射面を持ち、複数の反射面のうち一面がハーフミラー面であって、対物光学系より入射される物体像を複数の反射面の各々で反射させることにより正立像としてファインダに導く正立光学系を備える構成としてもよい。
【００１９】
正立光学系は例えばペンタプリズムである。この場合、投光手段は、記ハーフミラー面を介してペンタプリズム内にスーパーインポーズ光を入射させ、入射されたスーパーインポーズ光を、ペンタプリズム内にてファインダに導かれる正立像と重ね合わせる構成としてもよい。
【００２０】
ペンタプリズムは、撮影光学系からの被写体光束が入射する入射面と、入射面に入射された被写体光束を反射するダハ面と、ダハ面にて反射された被写体光束をファインダに向けて反射する第三反射面とを備えた構成としてもよい。この場合、例えば第三反射面がハーフミラー面である。
【００２１】
ハーフミラー面は、例えば誘電体の多層膜を積層することにより構成されている。
【００２２】
物体像とは別の像は、例えば撮影に関する補助情報を表す像である。
【００２３】
撮影に関する補助情報は、例えば、測距点、合焦及び合焦位置を示す情報である。
【００２４】
投光手段が持つ光源は、例えばＬＥＤである。
【００２５】
また、本発明の一形態に係る一眼レフカメラは、上記ファインダ装置を搭載したものである。
【発明の効果】
【００２６】
本発明の一形態によれば、ファインダ視野内の被写体像とスーパーインポーズされる情報の両方の明るさを改善することができるファインダ装置及び一眼レフカメラが提供される。
【図面の簡単な説明】
【００２７】
【図１】本発明の実施形態のファインダ装置を搭載した撮影装置の構成を示すブロック図である。
【図２】本発明の実施形態のファインダ装置に備えられるペンタプリズムの第三反射面の反射率特性を示す図、及び第三反射面の詳細な説明を行うのに必要な各種定義の説明を補助する図である。
【図３】本発明の実施例１の第三反射面の反射率特性及び膜構成を示す図である。
【図４】本発明の実施例２の第三反射面の反射率特性及び膜構成を示す図である。
【図５】本発明の実施例３の第三反射面の反射率特性及び膜構成を示す図である。
【図６】本発明の実施例４の第三反射面の反射率特性及び膜構成を示す図である。
【図７】本発明の実施例５の第三反射面の反射率特性及び膜構成を示す図である。
【図８】本発明の比較例１の第三反射面の反射率特性及び膜構成を示す図である。
【図９】本発明の比較例２の第三反射面の反射率特性及び膜構成を示す図である。
【図１０】本発明の比較例３の第三反射面の反射率特性及び膜構成を示す図である。
【図１１】本発明の実施形態の第三反射面の第一の波長領域を説明するための図である。
【図１２】更に別の実施形態のファインダ装置を搭載した撮影装置の構成を示すブロック図である。
【発明を実施するための形態】
【００２８】
以下、図面を参照して、本発明の実施形態によるファインダ装置を搭載した撮影装置について説明する。
【００２９】
［撮影装置１の全体の構成］
図１は、本実施形態の撮影装置１の構成を示すブロック図である。図１に示されるように、本実施形態の撮影装置１は、ファインダ装置２を搭載したデジタル一眼レフカメラ（クイックリターンミラー付）であり、カメラボディ１０と、カメラボディ１０に対して着脱することにより交換することが可能な交換レンズ５０を備えている。被写体からの光束（被写体光束）は、交換レンズ５０内の撮影レンズ５１を介してカメラボディ１０内のメインミラー１１により、ファインダ装置２に向けて反射される。また、メインミラー１１の一部の領域は、ハーフミラー領域となっている。そのため、被写体光束の一部は、メインミラー１１（ハーフミラー領域）を透過して、メインミラー１１の背面に設けられたサブミラー１２により下方に反射されて、自動焦点検出モジュール１３に入射される。
【００３０】
自動焦点検出モジュール１３は、被写体の焦点状態を検出し、検出結果に応じた信号をボディＣＰＵ１４に出力する。ボディＣＰＵ１４は、自動焦点検出モジュール１３より入力した信号に基づいてデフォーカス演算を行い、演算によって求められたデフォーカス量に基づいて撮影レンズ５１の焦点調節を行う。なお、図１中、各ブロックの電気的な結線については、図面を簡素化する便宜上省略する。
【００３１】
レリーズスイッチ（不図示）が押されると、ボディＣＰＵ１４は、メインミラー１１をクイックリターンさせる。すなわち、ボディＣＰＵ１４は、フォーカルプレーンシャッタ（不図示）の先膜走行開始直前から後幕走行終了直後の期間に限り、メインミラー１１をアップすることにより、撮影レンズ５１の光軸ＡＸと平行な光路からメインミラー１１を退避させる。また、サブミラー１２は、メインミラー１１とメカ的に連動する構成となっており、メインミラー１１のミラーアップと共に光路から退避する。そのため、被写体光束は、撮影レンズ５１を透過した後、イメージセンサ１５の撮像面上で結像される。イメージセンサ１５は例えばＣＣＤ（Charge Coupled Device）イメージセンサやＣＭＯＳ（Complementary Metal Oxide Semiconductor）イメージセンサであり、撮像面上の各画素で結像した光学像を光量に応じた電荷として蓄積して、撮像信号に変換する。変換された撮像信号は、図示省略された画像処理回路にてモニタ表示可能に加工される。撮影者は、カメラボディ１０の背面に設けられたＬＣＤモニタ（不図示）を通じて撮影画像を視認することができる。
【００３２】
［ファインダ装置２の構成］
メインミラー１１が光路から退避していない期間中は、上述したように、メインミラー１１にて反射された被写体光束がファインダ装置２に入射される。ファインダ装置２は、拡散板（焦点板又はピント板）２１、ペンタプリズム２２、接眼レンズ２３、ファインダ２４及びスーパーインポーズ部２５を備えている。
【００３３】
拡散板２１は、イメージセンサ１５の撮像面と等価な位置に配置されており、撮影レンズ５１を通過した被写体光束が結像する。
【００３４】
ペンタプリズム２２は、複数の反射面を持ち、拡散板２１に結像して入射した被写体像を各反射面で反射させることにより正立像とする。より詳細には、ペンタプリズム２２は、入射面２２ａ、ダハ面２２ｂ及び第三反射面２２ｃを持ち、入射面２２ａを介してプリズム内部に入射された被写体像をダハ面２２ｂ、第三反射面２２ｃにて順次反射させることにより反転させて、正立像として接眼レンズ２３に向けて射出する。
【００３５】
接眼レンズ２３は、拡散板２１上に結像されてペンタプリズム２２により正立化された被写体像を、撮影者の観察に適する虚像に再結像する。
【００３６】
撮影者は、接眼レンズ２３により再結像された被写体像（虚像）を、ファインダ２４を覗くことにより観察することができる。
【００３７】
スーパーインポーズ部２５は、発光ユニット２５ａ、ミラー２５ｂ、集光レンズ２５ｃ及びプリズム２５ｄを備えている。発光ユニット２５ａは、発光素子として複数のＬＥＤを備えている。また、発光ユニット２５ａは、スーパーインポーズ表示に対応するマスク部材をＬＥＤの前段に備えている。ボディＣＰＵ１４により各ＬＥＤの発光が制御されることにより、各種スーパーインポーズ表示に対応するスーパーインポーズ光が発光ユニット２５ａより射出される。なお、スーパーインポーズされる情報は、主に撮影を補助する情報であり、例えば測距点、合焦、合焦位置を示す情報が挙げられる。発光ユニット２５ａより射出されたスーパーインポーズ光は、ミラー２５ｂにて反射されて集光レンズ２５ｃにより集光されて、プリズム２５ｄに入射される。プリズム２５ｄに入射されたスーパーインポーズ光は、プリズム２５ｄ内で反射された後、ペンタプリズム２２の第三反射面２２ｃに入射される。
【００３８】
第三反射面２２ｃは、誘電体の多層膜が積層されることにより構成されたハーフミラー面であり、交互に積層された高屈折率材とそれよりも低い屈折率材との各界面で反射される光を互いに干渉させることにより、可視光領域において特定の分光特性を得ている。第三反射面２２ｃの分光特性は、膜材料の屈折率の組み合わせや、積層数、各層の膜厚等に応じて決定される。
【００３９】
スーパーインポーズ光は、第三反射面２２ｃを透過してペンタプリズム２２内に入射される。ペンタプリズム２２内に入射されたスーパーインポーズ光は、第三反射面２２ｃにて反射されて接眼レンズ２３に導かれる正立像と重ね合わさった状態で、ペンタプリズム２２内を接眼レンズ２３に向けて進み、接眼レンズ２３を介してファインダ２４に到達する。これにより、撮影者は、測距点等がスーパーインポーズされた被写体像を、ファインダ２４を通じて観察することができる。
【００４０】
ところで、上述したように、スーパーインポーズ光をペンタプリズムのハーフミラー面を介してペンタプリズム内に入射させる構成では、ファインダ視野内の被写体像の明るさとスーパーインポーズされる情報の明るさの両方を同時に改善することができなかった。しかし、本実施形態に係るファインダ装置２は、以下に説明するように、第三反射面２２ｃを、可視光領域の大部分で平坦な反射率特性を持ちつつスーパーインポーズ光に対応する波長領域のみ局所的に反射率が他の領域に対して低くなる特性（換言すると透過率が他の領域に対して高くなる特性）とすることにより、ファインダ視野内における被写体像の色味の変化を抑えつつ、被写体像の明るさとスーパーインポーズされる情報の明るさとを独立して改善することができ、その両方の明るさを同時に改善させることが可能となっている。
【００４１】
［第三反射面２２ｃの構成］
図２（ａ）は、第三反射面２２ｃの反射率特性を示す図であり、縦軸が反射率（単位：％）であり、横軸が波長（単位：ｎｍ）である。また、図２（ｂ）〜図２（ｄ）は、第三反射面２２ｃの詳細な説明を行うのに必要な各種定義の説明を補助する図である。図２（ｂ）〜図２（ｄ）の何れも図２（ａ）と同じく、縦軸が反射率（単位：％）であり、横軸が波長（単位：ｎｍ）である。なお、第三反射面２２ｃは吸収が極めて小さく、無視しても差し支えない。そのため、第三反射面２２ｃの分光特性は、反射率＋透過率＝１００％とする。
【００４２】
図２（ａ）に示されるように、第三反射面２２ｃは、可視光領域（４００ｎｍ〜７００ｎｍ）において一部の波長領域（以下、「第一の波長領域」と記す。）を除く全ての波長領域（以下、「第二の波長領域」と記す。）で平坦な反射率特性を有している。ここで、反射率特性の平坦性は、例えば算術平均粗さＲａの考え方を導入することにより規定される。具体的には、対象となる波長範囲（以下、「対象波長範囲」と記す。）における「反射率」と「対象波長範囲における反射率の平均値」との偏差の絶対値を平均化する。平均化により求められた値により、第三反射面２２ｃの反射率特性の平均的な凹凸の度合いを客観的に表すことができ、この値が小さいほど平坦性が高い、つまりより平坦に近いことを意味する。第三反射面２２ｃの反射率特性において、対象波長範囲をλ０〜λ１とし、対象波長範囲λ０〜λ１内のある波長λにおける反射率をＦ（λ）と定義し、対象波長範囲λ０〜λ１における分光反射率の平均値をＦaverageと定義し、Ｆ（λ）とＦaverageとの偏差の絶対値を｜Ｆ（λ）−Ｆaverage｜と定義した場合、波長範囲λ０〜λ１における｜Ｆ（λ）−Ｆaverage｜の平均値Ｒは、波長範囲λ０〜λ１における｜Ｆ（λ）−Ｆaverage｜の積算値を対象波長範囲の波長幅λ１−λ０で除したものであり、下式で与えられる。
【００４３】
【数１】
2014119629.tif 000003
【００４４】
カメラのファインダ光路のように、被写体の色合いをできるだけ正確に観察者に認識させることが望まれる場合、光路中のハーフミラーは、一般に、対象となる光を反射させた後又は透過させた後もその色味を変化させないことが求められるため、可視光領域において分光特性が高い平坦性を持つように、平均値Ｒが５％以下となるよう設計されている。そのため、本明細書中、「反射率や透過率の特性が平坦である」とした場合、「平均値Ｒが５％以下である」ことを意味するものとする。
【００４５】
図２（ｂ）に示されるように、第一の波長領域は、一例として、反射率特性の谷（換言すると透過率特性の山であり、具体的数値は波長６３０ｎｍ）を挟む一対の変曲点Ｐ１、Ｐ２で規定される幅を持つ波長領域である。波長６３０ｎｍは、発光ユニット２５ａにより発光されるスーパーインポーズ光の波長である。すなわち、第三反射面２２ｃは、スーパーインポーズ光に対して他の波長の光よりも高い透過率を持つ。
【００４６】
図１１に、第一の波長領域を説明するための図を示す。図１１に示されるように、反射率は、第一の波長領域の谷（波長６３０ｎｍ）を起点として短波長側へ離れるほど増加し、その後、平坦な領域に移行する。反射率は、平坦な領域に移行する際、変化率（増加率）を徐々に減少させながら変曲点Ｐ１にて変化率ゼロをとり、変曲点Ｐ１を超えた直後に極僅かに減少する。反射率は、変曲点Ｐ１を超えて極僅かに減少した後は、極僅かな範囲での変動（増加と減少）を繰り返す。このように、反射率は、変曲点Ｐ１を超えると（変曲点Ｐ１より短波長側で）、極僅かな範囲での変動を繰り返す領域（平坦な領域）に移行する。本実施形態では、反射率の変化の傾きの符号が変わる変曲点Ｐ１に対応する波長λＰ１を、第一の波長領域の下限に規定する。反射率はまた、第一の波長領域の谷（波長６３０ｎｍ）を起点として長波長側へ離れる場合も徐々に増加し、その後、平坦な領域に移行する。反射率は、平坦な領域に移行する際、変化率（増加率）を徐々に減少させながら変曲点Ｐ２にて変化率ゼロをとり、変曲点Ｐ２を超えた直後に極僅かに減少する。反射率は、変曲点Ｐ２を超えて極僅かに減少した後は、極僅かな範囲での変動（増加と減少）を繰り返す。このように、反射率は、変曲点Ｐ２を超えると（変曲点Ｐ１より長波長側で）、極僅かな範囲での変動を繰り返す領域（平坦な領域）に移行する。本実施形態では、反射率の変化の傾きの符号が変わる変曲点Ｐ２に対応する波長λＰ２を、第一の波長領域の上限に規定する。
【００４７】
このように、第一の波長領域は、変曲点Ｐ１に対応する波長λＰ１から変曲点Ｐ２に対応する波長λＰ２までの波長領域である。第二の波長領域は、上述したように、可視光領域において第一の波長領域を除く全ての波長領域であるため、４００ｎｍ〜λＰ１ｎｍ及びλＰ２ｎｍ〜７００ｎｍである。第二の波長領域は平坦な反射率特性を持つため、４００ｎｍ〜λＰ１ｎｍ及びλＰ２ｎｍ〜７００ｎｍにおける平均値Ｒは５％以下である。
【００４８】
図２（ｃ）に示されるように、第三反射面２２ｃは、第一の波長領域の谷（６３０ｎｍ）における反射率（換言すると透過率）と、第二の波長領域における平均反射率（換言すると平均透過率）とが所定の反射率差（換言すると透過率差）を持つように設計されている。第一の波長領域の谷（６３０ｎｍ）における反射率が低いほどスーパーインポーズ光の透過率が高くなるため、スーパーインポーズされる情報の明るさの向上に寄与する。
【００４９】
このように、本実施形態では、第一の波長領域で反射率の低い領域（換言すると透過率の高い領域）を局所的に形成することにより、可視光領域全域で平坦な反射率特性を持つ従来型のハーフミラーと比較して若干の色味の変化が発生する。しかし、ファインダ光学系は実際の撮像に用いられる系ではないため、ユーザに違和感を与えない程度の色味の変化は許容される。本実施形態では、反射率の低い領域を限定し、かつそれ以外の領域では平坦性を確保することにより、光学ファインダとして十分使用できるレベルの色味を実現している。但し、第一の波長領域の谷（６３０ｎｍ）の反射率を極端に低くしてしまうと、第三反射面２２ｃにおける反射の前後で被写体光束の分光特性が無視できないレベルで変化して、ファインダ視野内の被写体像の色味を変えてしまうことにより、ユーザに違和感を与える虞がある。また、第一の波長領域の谷（６３０ｎｍ）の反射率を低下させるほど谷（６３０ｎｍ）と第二の波長領域との間の変化が急峻になるため、製造誤差の影響で反射率特性が変化しやすくなり、許容可能な誤差が実質的に小さくなるという問題が生じる。そのため、第一の波長領域の谷（６３０ｎｍ）の反射率と第二の波長領域の反射率（平均反射率）との反射率差（換言すると透過率差）は、１０％〜５０％の範囲に収めることが望ましく、また、１０％〜３５％の範囲に収めることが更に望ましい。
【００５０】
図２（ｄ）は、第一の波長領域の半値幅を示している。第一の波長領域の半値幅は、第一の波長領域の谷（６３０ｎｍ）の反射率（換言すると透過率）と、第二の波長領域の平均反射率（換言すると平均透過率）との中間の反射率における、第一の波長領域の反射率（換言すると透過率）の幅である。第一の波長領域の半値幅が広すぎると、反射率が広い範囲で低下するため、可視光領域における平坦性が大きく崩れる。これにより、ファインダ視野内の被写体像の色味が変わり、ユーザに違和感を与える虞がある。一方、ＬＥＤ光の半値幅が約１０ｎｍであり、またＬＥＤの発光波長の製造誤差も約１０ｎｍである。これらの事情を鑑み、第一の波長領域の半値幅は、１０ｎｍ〜１００ｎｍの範囲に収めることが望ましく、また、１０ｎｍ〜５０ｎｍの範囲に収めることが更に望ましい。また、同じ理由より、第一の波長領域（波長λＰ１〜λＰ２）は、２０ｎｍ〜１５０ｎｍの範囲に収めることが望ましく、また、２０ｎｍ〜１３０ｎｍの範囲に収めることが更に望ましい。
【００５１】
可視光領域の平均的な反射率が高いほどファインダ視野内の被写体像が明るくなる。そのため、第二の波長領域の平均反射率は高いほど望ましく、１００％が理想である。しかし、高反射率特性を得るためには、必要となる層数が非常に多くなることから、製造難易度の上昇、光学特性の再現性の低下、コストの上昇等の問題が生じる。特に９５％よりも高い反射率を得ようとする場合には、その傾向が顕著に現れる。そこで、第二の波長領域の平均反射率は、ファインダ視野内の被写体像の明るさの確保及び製造上の課題を考慮して、７０％〜９５％の範囲に収めることが望ましい。
【００５２】
このように、本実施形態では、第三反射面２２ｃを、第二の波長領域で平坦な反射率特性を持ちつつスーパーインポーズ光に対応する第一の波長領域のみ局所的に反射率が他の領域に対して低くなる特性（換言すると透過率が他の領域に対して高くなる特性）とすることにより、ファインダ視野内における被写体像の色味の変化を抑えつつ、被写体像の明るさとスーパーインポーズされる情報の明るさとを独立して改善することができ、その両方の明るさを同時に改善させることが可能となっている。
【００５３】
次に、これまで説明した第三反射面２２ｃの反射率特性の具体的実施例を５例説明し、これらの実施例と比較する比較例を３例説明する。なお、全ての実施例及び比較例において、以下が共通する。
可視光領域                                  ：４００ｎｍ〜７００ｎｍ
ペンタプリズム２２の材料                    ：ＢＫ７（屈折率１．５２）
発光ユニット２５ａが持つ光源                ：発光波長６３０ｎｍのＬＥＤ
第三反射面２２ｃ内での被写体光束の反射角度  ：１９．５°
【００５４】
また、実施例１〜４及び比較例１〜３の第三反射面２２ｃは、低屈折率材料のＳｉＯ２（屈折率１．４７）と高屈折率材料のＴｉＯ２（屈折率２．３５）の２種類の誘電体膜の積層により構成されている。一方、実施例５の第三反射面２２ｃは、低屈折率材料としてＳｉＯ２（屈折率１．４７）とＭｇＦ２（屈折率１．３９）の２種類を用い、高屈折率材料としてＴｉＯ２（屈折率２．３５）を用いている。すなわち、実施例５の第三反射面２２ｃは、低屈折率材料のＳｉＯ２及びＭｇＦ２と高屈折率材料のＴｉＯ２の３種類の誘電体膜の積層により構成されている。
【実施例１】
【００５５】
図３（ａ）は、実施例１の第三反射面２２ｃの反射率特性を示す図であり、縦軸が反射率（単位：％）であり、横軸が波長（単位：ｎｍ）である。また、図３（ｂ）は、実施例１の第三反射面２２ｃの膜構成を示す数値表である。図３（ｂ）においては、第三反射面２２ｃを構成する各層の材料、屈折率及び物理的膜厚（単位：ｎｍ）が、プリズム２５ｄ側の層から順に記載されている。なお、実施例１の各図についての説明は、以降の各実施例及び比較例で提示される各図においても適用する。
【００５６】
図３（ａ）に示されるように、波長６３０ｎｍ付近の限定された領域（つまり第一の波長領域）では反射率が局所的に低くなっており、波長６３０ｎｍでは反射率が約５８．８％（透過率が約４１．２％）である。また、第一の波長領域の半値幅は約４６ｎｍである。これに対し、可視光領域のうち第一の波長領域以外の領域（つまり第二の波長領域）は、平坦な反射率特性となっており、平均反射率が約７２．１％である。第一の波長領域と第二の波長領域との反射率差（換言すると透過率差）は約１３．３％である。波長λＰ１、λＰ２はそれぞれ、約５７３ｎｍ、約６９３ｎｍであり、第一の波長領域は、約１２０ｎｍの幅を持つ。
【実施例２】
【００５７】
図４（ａ）は、実施例２の第三反射面２２ｃの反射率特性を示す図である。また、図４（ｂ）は、実施例２の第三反射面２２ｃの膜構成を示す数値表である。図４（ａ）に示されるように、波長６３０ｎｍ付近の限定された領域（つまり第一の波長領域）では反射率が局所的に低くなっており、波長６３０ｎｍでは反射率が約６８．０％（透過率が約３２．０％）である。また、第一の波長領域の半値幅は約３６ｎｍである。これに対し、可視光領域のうち第一の波長領域以外の領域（つまり第二の波長領域）は、平坦な反射率特性となっており、平均反射率が約８２．１％である。第一の波長領域と第二の波長領域との反射率差（換言すると透過率差）は約１４．０％である。波長λＰ１、λＰ２はそれぞれ、約５８２ｎｍ、約６７９ｎｍであり、第一の波長領域は、約９７ｎｍの幅を持つ。なお、ここに示す第一の波長領域と第二の波長領域との反射率差が１４．１％とならないのは、各数値を小数点第２位を四捨五入して表記しているためである。このような表記については、以降の実施例においても同様である。
【実施例３】
【００５８】
図５（ａ）は、実施例３の第三反射面２２ｃの反射率特性を示す図である。また、図５（ｂ）は、実施例３の第三反射面２２ｃの膜構成を示す数値表である。図５（ａ）に示されるように、波長６３０ｎｍ付近の限定された領域（つまり第一の波長領域）では反射率が局所的に低くなっており、波長６３０ｎｍでは反射率が約５８．１％（透過率が約４１．９％）である。また、第一の波長領域の半値幅は約３３ｎｍである。これに対し、可視光領域のうち第一の波長領域以外の領域（つまり第二の波長領域）は、平坦な反射率特性となっており、平均反射率が約８２．１％である。第一の波長領域と第二の波長領域との反射率差（換言すると透過率差）は約２４．１％である。波長λＰ１、λＰ２はそれぞれ、約５８０ｎｍ、約６８１ｎｍであり、第一の波長領域は、約１０１ｎｍの幅を持つ。
【実施例４】
【００５９】
図６（ａ）は、実施例４の第三反射面２２ｃの反射率特性を示す図である。また、図６（ｂ）は、実施例４の第三反射面２２ｃの膜構成を示す数値表である。図６（ａ）に示されるように、波長６３０ｎｍ付近の限定された領域（つまり第一の波長領域）では反射率が局所的に低くなっており、波長６３０ｎｍでは反射率が約６８．０％（透過率が約３２．０％）である。また、第一の波長領域の半値幅は約２２ｎｍである。これに対し、可視光領域のうち第一の波長領域以外の領域（つまり第二の波長領域）は、平坦な反射率特性となっており、平均反射率が約９２．０％である。第一の波長領域と第二の波長領域との反射率差（換言すると透過率差）は約２３．９％である。波長λＰ１、λＰ２はそれぞれ、約５８８ｎｍ、約６６９ｎｍであり、第一の波長領域は、約８１ｎｍの幅を持つ。
【実施例５】
【００６０】
図７（ａ）は、実施例５の第三反射面２２ｃの反射率特性を示す図である。また、図７（ｂ）は、実施例５の第三反射面２２ｃの膜構成を示す数値表である。図７（ａ）に示されるように、波長６３０ｎｍ付近の限定された領域（つまり第一の波長領域）では反射率が局所的に低くなっており、波長６３０ｎｍでは反射率が約６８．１％（透過率が約３１．９％）である。また、第一の波長領域の半値幅は約３６ｎｍである。これに対し、可視光領域のうち第一の波長領域以外の領域（つまり第二の波長領域）は、平坦な反射率特性となっており、平均反射率が約８２．０％である。第一の波長領域と第二の波長領域との反射率差（換言すると透過率差）は約１３．９％である。波長λＰ１、λＰ２はそれぞれ、約５８２ｎｍ、約６９２ｎｍであり、第一の波長領域は、約１１０ｎｍの幅を持つ。
【００６１】
（比較例１）
図８（ａ）は、比較例１の第三反射面の反射率特性を示す図である。また、図８（ｂ）は、比較例１の第三反射面の膜構成を示す数値表である。図８（ａ）に示されるように、比較例１の第三反射面は、可視光領域（４００ｎｍ〜７００ｎｍ）において平坦な反射率特性（平均反射率：約７２．０％）を持つ。なお、波長６３０ｎｍでは反射率が約７２．２％（透過率が約２７．８％）である。
【００６２】
（比較例２）
図９（ａ）は、比較例２の第三反射面の反射率特性を示す図である。また、図９（ｂ）は、比較例２の第三反射面の膜構成を示す数値表である。図９（ａ）に示されるように、比較例２の第三反射面は、可視光領域（４００ｎｍ〜７００ｎｍ）において平坦な反射率特性（平均反射率：約６２．０％）を持つ。なお、波長６３０ｎｍでは反射率が約６１．７％（透過率が約３８．３％）である。
【００６３】
（比較例３）
図１０（ａ）は、比較例３の第三反射面の反射率特性を示す図である。また、図１０（ｂ）は、比較例３の第三反射面の膜構成を示す数値表である。図１０（ａ）に示されるように、比較例３の第三反射面は、可視光領域（４００ｎｍ〜７００ｎｍ）において平坦な反射率特性（平均反射率：約８１．９％）を持つ。なお、波長６３０ｎｍでは反射率が約８１．９％（透過率が約１８．１％）である。
【００６４】
［比較検討］
比較例１〜３では、可視光領域全域で平坦な反射率特性を持つ従来型のハーフミラーが採用されているため、ファインダ視野内の被写体像の色味の変化が抑えられている。しかし、比較例１では、波長６３０ｎｍでの透過率が低いため、ファインダ視野内でスーパーインポーズされる情報の明るさが不足する。また、比較例２では、可視光領域の平均反射率を比較例１よりも低く設定して波長６３０ｎｍでの透過率を上げることにより、ファインダ視野内でスーパーインポーズされる情報の明るさを改善させている。しかし、その代償として、ファインダ視野内の被写体像の明るさが不足する。一方、比較例３では、可視光領域の平均反射率を比較例１よりも高くすることで、ファインダ視野内の被写体像の明るさを向上させている。しかし、その代償として、波長６３０ｎｍでの透過率が比較例１よりも更に低くなるため、ファインダ視野内でスーパーインポーズされる情報の明るさがより一層不足する。
【００６５】
このように、比較例１〜３に示される従来型のハーフミラーでは、ファインダ視野内の被写体像の明るさとスーパーインポーズされる情報の明るさとがトレードオフの関係にあるため、一方の明るさを独立して改善することや両方の明るさを同時に改善することができない。これに対し、実施例１〜５では、ファインダ視野内の被写体像の明るさとスーパーインポーズされる情報の明るさを独立して改善することができるため、その両方が同時に改善されている。
【００６６】
実施例１は、第二の波長領域の平均反射率が比較例１の可視光領域の平均反射率と同等であるため、ファインダ視野内の被写体像の明るさが比較例１と同等である。また、スーパーインポーズ光の波長に対応する、第二の波長領域よりも透過率の高い第一の波長領域を持つため、ファインダ視野内でスーパーインポーズされる情報の明るさが改善されている。具体的には、波長６３０ｎｍでの透過率が第二の波長領域の透過率よりも１０％以上高くなっており、ファインダ視野内でスーパーインポーズされる情報の明るさが比較例１に対して１０％以上向上している。また、第一の波長領域と第二の波長領域との反射率差が１０％〜５０％の範囲に収められており（約１３．３％）、第一の波長領域の半値幅が１０ｎｍ〜１００ｎｍの範囲に収められている（約４６ｎｍ）。また、第一の波長領域（波長λＰ１〜λＰ２）が、２０ｎｍ〜１５０ｎｍの範囲に収められている（約１２０ｎｍ）。そのため、ファインダ視野内における被写体像の色味の変化が許容可能なレベルに抑えられており、ユーザに違和感を与えることがない。
【００６７】
別の観点では、実施例１は、波長６３０ｎｍでの透過率が比較例２と同等であるため、ファインダ視野内でスーパーインポーズされる情報の明るさが改善されている。また、第一の波長領域よりも反射率の高い第二の波長領域を持つため、ファインダ視野内の被写体像の明るさが向上している。具体的には、第二の波長領域の平均反射率が波長６３０ｎｍでの反射率よりも１０％以上高くなっており、ファインダ視野内の被写体像の明るさが比較例２に対して１０％以上向上している。
【００６８】
実施例２は、第二の波長領域の平均反射率が比較例３の可視光領域の平均反射率と同等であるため、ファインダ視野内の被写体像の明るさが比較例３と同様に向上している。また、スーパーインポーズ光の波長に対応する、第二の波長領域よりも透過率の高い第一の波長領域を持つため、ファインダ視野内でスーパーインポーズされる情報の明るさが改善されている。具体的には、波長６３０ｎｍでの透過率が第二の波長領域の透過率よりも１０％以上高くなっており、ファインダ視野内でスーパーインポーズされる情報の明るさが比較例３に対して１０％以上改善している。また、第一の波長領域と第二の波長領域との反射率差が１０％〜５０％の範囲に収められており（約１４．０％）、第一の波長領域の半値幅が１０ｎｍ〜１００ｎｍの範囲に収められている（約３６ｎｍ）。また、第一の波長領域（波長λＰ１〜λＰ２）が、２０ｎｍ〜１５０ｎｍの範囲に収められている（約９７ｎｍ）。そのため、ファインダ視野内における被写体像の色味の変化が許容可能なレベルに抑えられており、ユーザに違和感を与えることがない。
【００６９】
実施例３は、第二の波長領域の平均反射率が比較例３の可視光領域の平均反射率と同等であるため、ファインダ視野内の被写体像の明るさが比較例３と同様に向上している。また、スーパーインポーズ光の波長に対応する、第二の波長領域よりも透過率の高い第一の波長領域を持つため、ファインダ視野内でスーパーインポーズされる情報の明るさが改善されている。具体的には、波長６３０ｎｍでの透過率が第二の波長領域の透過率よりも２０％以上高くなっており、ファインダ視野内でスーパーインポーズされる情報の明るさが比較例３に対して２０％以上改善している。また、第一の波長領域と第二の波長領域との反射率差が１０％〜５０％の範囲に収められており（約２４．１％）、第一の波長領域の半値幅が１０ｎｍ〜１００ｎｍの範囲に収められている（約３３ｎｍ）。また、第一の波長領域（波長λＰ１〜λＰ２）が、２０ｎｍ〜１５０ｎｍの範囲に収められている（約１０１ｎｍ）。そのため、ファインダ視野内における被写体像の色味の変化が許容可能なレベルに抑えられており、ユーザに違和感を与えることがない。
【００７０】
実施例４は、第二の波長領域の平均反射率が比較例３の可視光領域の平均反射率よりも更に１０％程度向上しているため、ファインダ視野内の被写体像の明るさが比較例３よりも更に向上している。また、スーパーインポーズ光の波長に対応する、第二の波長領域よりも透過率の高い第一の波長領域を持つため、ファインダ視野内でスーパーインポーズされる情報の明るさが改善されている。具体的には、波長６３０ｎｍでの透過率が第二の波長領域の透過率よりも２０％以上高くなっており、ファインダ視野内でスーパーインポーズされる情報の明るさが比較例３に対して１０％以上改善している。また、第一の波長領域と第二の波長領域との反射率差が１０％〜５０％の範囲に収められており（約２３．９％）、第一の波長領域の半値幅が１０ｎｍ〜１００ｎｍの範囲に収められている（約２２ｎｍ）。また、第一の波長領域（波長λＰ１〜λＰ２）が、２０ｎｍ〜１５０ｎｍの範囲に収められている（約８１ｎｍ）。そのため、ファインダ視野内における被写体像の色味の変化が許容可能なレベルに抑えられており、ユーザに違和感を与えることがない。
【００７１】
実施例５は、反射率特性が実施例２と同等である。但し、実施例５は、上述したように、他の実施例と異なり、第三反射面２２ｃが低屈折率材料のＳｉＯ２及びＭｇＦ２と高屈折率材料のＴｉＯ２の３種類の誘電体膜の積層により構成されている。このように、低屈折率材料としてＭｇＦ２を導入することにより、実施例２に対して反射率特性のリップルが低減して平坦性が向上すると共に積層数が削減されている。なお、一般に、ＭｇＦ２は膜応力が大きいことから多層膜コートでは利用されない。しかし、積層数が比較的少ない構成に対して少ない比率（例えば全層数の１／３以下程度）でＭｇＦ２を導入することにより、少ない層数で良好な分光特性が得られるというメリットがある。
【００７２】
以上が本発明の例示的な実施形態の説明である。本発明の実施形態は、上記に説明したものに限定されず、本発明の技術的思想の範囲において様々な変形が可能である。例えば明細書中に例示的に明示される実施形態等又は自明な実施形態等を適宜組み合わせた内容も本願の実施形態に含まれる。
【００７３】
例えば、本実施形態では、ペンタプリズム２２の第三反射面２２ｃをハーフミラー面としているが、別の実施形態では、ダハ面２２ｂ等の別の面を、第三反射面２２ｃと同様の反射率特性を持つハーフミラー面としてもよい。この場合、スーパーインポーズ部２５は、ファインダ視野内で測距点等が被写体像にスーパーインポーズされるように、ダハ面２２ｂを介してスーパーインポーズ光をペンタプリズム２２内に所定の角度で入射させる。
【００７４】
また、本実施形態に係るハーフミラー面は、ペンタプリズムに限らず、トラピゾイドプリズムなど、ファインダ装置内に備えられる別の形態のプリズムにも適用することができる。また、本ハーフミラー面は、プリズムに限らず、ペンタルーフミラーなど、ファインダ装置内に備えられる別の形態の光学部品にも適用することができる。
【００７５】
また、本実施形態のファインダ装置２は、スーパーインポーズ光が第三反射面２２ｃ（ハーフミラー面）を介してペンタプリズム２２内に入射され、被写体像（第三反射面２２ｃにて反射されて接眼レンズ２３に導かれる正立像）と重ね合わされた状態でペンタプリズム２２内を接眼レンズ２３に向けて進み、接眼レンズ２３を介してファインダ２４に到達するという構成となっている。すなわち、本実施形態では、ハーフミラー面にてスーパーインポーズ光を透過させることにより、被写体像と重ね合わせる構成が採用されている。これに対し、更に別の実施形態では、ハーフミラー面にてスーパーインポーズ光を反射させることにより、被写体像と重ね合わせる構成を採用することができる。
【００７６】
図１２は、更に別の実施形態のファインダ装置１Ｍを搭載した撮影装置の構成を示すブロック図である。図１２に示されるように、ファインダ装置１Ｍは、スーパーインポーズ部２５の配置及び構成が本実施形態と異なる。具体的には、ファインダ装置１Ｍのスーパーインポーズ部２５は、ダハ面２２ｂ付近に配置されており、発光ユニット２５ａ、ミラー２５ｂ、集光レンズ２５ｃ及びプリズム２５ｅを備えている。発光ユニット２５ａより射出されたスーパーインポーズ光は、集光レンズ２５ｃにより集光されながらミラー２５ｂにて反射されて、プリズム２５ｅに入射される。プリズム２５ｅは、２つのプリズムを貼り合わせたものであり、貼り合わせ面がハーフミラー面２５ｆとなっている。プリズム２５ｅに入射されたスーパーインポーズ光は、ハーフミラー面２５ｆにて反射される。このとき、スーパーインポーズ光は、ペンタプリズム２２より射出されてハーフミラー面２５ｆを透過した被写体の正立像と重ね合わせられる。重ね合わせられたスーパーインポーズ光と被写体像とは、接眼レンズ２３を介してファインダ２４に到達する。これにより、撮影者は、測距点等がスーパーインポーズされた被写体像を、ファインダ２４を通じて観察することができる。
【００７７】
更に別の実施形態では、プリズム２５ｅのハーフミラー面２５ｆが、可視光領域の大部分で平坦な透過率特性を持ちつつスーパーインポーズ光に対応する波長領域のみ局所的に透過率が他の領域に対して低くなる特性（換言すると反射率が他の領域に対して高くなる特性）となっている。具体的には、ハーフミラー面２５ｆの透過率特性は、本実施形態と同様に、可視光領域（４００ｎｍ〜７００ｎｍ）において第一の波長領域と第二の波長領域とを有している。第一の波長領域は、透過率のピーク（波長６３０ｎｍ）を挟む一対の変曲点で規定される幅の波長領域である。第二の波長領域は、可視光領域（４００ｎｍ〜７００ｎｍ）において第一の波長領域を除く全ての波長領域であり、平坦な透過率特性を有している。第一の波長領域のピーク（６３０ｎｍ）の透過率と第二の波長領域の透過率（平均透過率）との透過率差（換言すると反射率差）は、本実施形態と同様に、１０％〜５０％の範囲に収めることが望ましく、また、１０％〜３５％の範囲に収めることが更に望ましい。第一の波長領域の半値幅も本実施形態と同様に、１０ｎｍ〜１００ｎｍの範囲に収めることが望ましく、また、１０ｎｍ〜５０ｎｍの範囲に収めることが更に望ましい。また、同じ理由より、第一の波長領域は、２０ｎｍ〜１５０ｎｍの範囲に収めることが望ましく、また、２０ｎｍ〜１３０ｎｍの範囲に収めることが更に望ましい。また、第二の波長領域の平均透過率も本実施形態と同様に、ファインダ視野内の被写体像の明るさの確保及び製造上の課題を考慮して、７０％〜９５％の範囲に収めることが望ましい。
【００７８】
更に別の実施形態においても本実施形態と同様に、ファインダ視野内における被写体像の色味の変化を抑えつつ、被写体像の明るさとスーパーインポーズされる情報の明るさとを独立して改善することができ、その両方の明るさを同時に改善させることが可能となっている。
【符号の説明】
【００７９】
１  撮影装置
２  ファインダ装置
１０  カメラボディ
１１  メインミラー
１２  サブミラー
１３  自動焦点検出モジュール
１４  ボディＣＰＵ
１５  イメージセンサ
２１  拡散板
２２  ペンタプリズム
２２ａ  入射面
２２ｂ  ダハ面
２２ｃ  第三反射面
２３  接眼レンズ
２４  ファインダ
２５  スーパーインポーズ部
２５ａ  発光ユニット
２５ｂ  ミラー
２５ｃ  集光レンズ
２５ｄ  プリズム
５０  交換レンズ
５１  撮影レンズ
【図１】
2014119629.tif 000004
【図２】
2014119629.tif 000005
【図３】
2014119629.tif 000006
【図４】
2014119629.tif 000007
【図５】
2014119629.tif 000008
【図６】
2014119629.tif 000009
【図７】
2014119629.tif 000010
【図８】
2014119629.tif 000011
【図９】
2014119629.tif 000012
【図１０】
2014119629.tif 000013
【図１１】
2014119629.tif 000014
【図１２】
2014119629.tif 000015